(57)【要約】      （修正有）【課題】腰をかがめることなく立った状態で、カップ内、地上、又は池内のゴルフボールを拾い上げることのでき、しかも、拾い上げ作業が効率的にできる、ゴルフ用パタークラブを提供する。【解決手段】ゴルフ用パタークラブ１は、パターヘッド３と、先端部がパターヘッド３に固定されたシャフト５と、シャフト５の後端部に固定されたグリップ７と、を備える。パターヘッド３には、上下に貫通する貫通部からなるゴルフボール保持孔９が形成されている。【選択図】図１
0003130004.tif 000002
【実用新案登録請求の範囲】
【請求項１】
パターヘッドと、
先端部が前記パターヘッドに固定されたシャフトと、
前記シャフトの後端部に固定されたグリップと、を備えたゴルフ用パタークラブであって、
前記パターヘッドには、上下に貫通する貫通部からなるゴルフボール保持孔を形成したことを特徴とするゴルフ用パタークラブ。
【請求項２】
前記ゴルフボール保持孔は、略円形である請求項１に記載のゴルフ用パタークラブ。
【請求項３】
前記ゴルフボール保持孔は、楕円形である請求項１に記載のゴルフ用パタークラブ。
【請求項４】
前記パターヘッドには、そのフェイス面側から後方に向かうにつれて、前記パターヘッドの厚みが薄くなっているテーパー部を有する請求項２に記載のゴルフ用パタークラブ。
【請求項５】
前記パターヘッドには、そのフェイス面側から後方に向かうにつれて、前記パターヘッドの厚みが薄くなっているテーパー部を有する請求項３に記載のゴルフ用パタークラブ。
【請求項６】
前記パターヘッドの外形形状は、平面視で一つの直線部と３つの円弧部とを繋いだ形状をなし、前記直線部は、前記パターヘッドの前記フェイス面に相当する請求項４に記載のゴルフ用パタークラブ。
【請求項７】
前記パターヘッドの外形形状は、平面視で一つの直線部と３つの円弧部とを繋いだ形状をなし、前記直線部は、前記パターヘッドの前記フェイス面に相当する請求項５に記載のゴルフ用パタークラブ。
【請求項８】
前記略円形の直径が４１．４〜４３．４ｍｍである請求項６に記載のゴルフ用パタークラブ。
【請求項９】
前記楕円形の短径が４１．４〜４３．４ｍｍである請求項７に記載のゴルフ用パタークラブ。
【請求項１０】
前記ゴルフボール保持孔の内側面は、粗面化されている請求項８に記載のゴルフ用パタークラブ。
【請求項１１】
前記ゴルフボール保持孔の内側面は、粗面化されている請求項９に記載のゴルフ用パタークラブ。
【請求項１２】
前記パターヘッドの外形形状は、前記直線部に略垂直な仮想線を対象軸として、線対称の形状をなしている請求項１０に記載のゴルフ用パタークラブ。
【請求項１３】
前記パターヘッドの外形形状は、前記直線部に略垂直な仮想線を対象軸として、線対称の形状をなしている請求項１１に記載のゴルフ用パタークラブ。
【考案の詳細な説明】
【技術分野】
【０００１】
本考案は、ゴルフ用パタークラブに関する。更に詳しくは、腰をかがめることなく立った状態で、カップ内、地上、又は池内のゴルフボールを拾い上げることのできるゴルフ用パタークラブに関する。
【背景技術】
【０００２】
従来から、ゴルフボールを拾い上げるためには、以下のような動作をしていた。すなわち、プレイヤーは、腰をかがめるとともに、腕を下方に伸ばしてゴルフボールを拾い上げていた。
このような動作は、煩雑であるとともに、例えば腰痛持ちのプレイヤーにとっては苦痛を伴う動作となっていた。
そこで、ゴルフボールの広い上げを助けるものとして、例えば、ボール拾上げ具がグリップの先端に取り付けられたゴルフ用パタークラブ（例えば、特許文献１等）が知られている。
しかしながら、このゴルフ用パタークラブでは、ボール拾上げ具がグリップの先端に取り付けられているため、ボールを拾い上げる際に、プレイヤーはゴルフ用パタークラブを上下に持ち替えなければならず、作業性に劣るという問題点があった。
【０００３】
【特許文献１】実公昭４４−９３９０号公報
【考案の開示】
【考案が解決しようとする課題】
【０００４】
本考案は、上記した従来の問題点に鑑みてなされたものであって、腰をかがめることなく立った状態で、カップ内、地上、又は池内のゴルフボールを拾い上げることのでき、しかも、拾い上げ作業が効率的にできる、ゴルフ用パタークラブを提供することを課題とする。
【課題を解決するための手段】
【０００５】
本考案は、以下のとおりである。
請求項１の考案は、パターヘッドと、先端部が前記パターヘッドに固定されたシャフトと、前記シャフトの後端部に固定されたグリップと、を備えたゴルフ用パタークラブであって、
前記パターヘッドには、上下に貫通する貫通部からなるゴルフボール保持孔を形成したことを特徴とするゴルフ用パタークラブである。
請求項２の考案は、前記ゴルフボール保持孔は、略円形である請求項１に記載のゴルフ用パタークラブである。
請求項３の考案は、前記ゴルフボール保持孔は、楕円形である請求項１に記載のゴルフ用パタークラブである。
請求項４の考案は、前記パターヘッドには、そのフェイス面側から後方に向かうにつれて、前記パターヘッドの厚みが薄くなっているテーパー部を有する請求項２に記載のゴルフ用パタークラブである。
請求項５の考案は、前記パターヘッドには、そのフェイス面側から後方に向かうにつれて、前記パターヘッドの厚みが薄くなっているテーパー部を有する請求項３に記載のゴルフ用パタークラブである。
【０００６】
請求項６の考案は、前記パターヘッドの外形形状は、平面視で一つの直線部と３つの円弧部とを繋いだ形状をなし、前記直線部は、前記パターヘッドの前記フェイス面に相当する請求項４に記載のゴルフ用パタークラブである。
請求項７の考案は、前記パターヘッドの外形形状は、平面視で一つの直線部と３つの円弧部とを繋いだ形状をなし、前記直線部は、前記パターヘッドの前記フェイス面に相当する請求項５に記載のゴルフ用パタークラブである。
請求項８の考案は、前記略円形の直径が４１．４〜４３．４ｍｍである請求項６に記載のゴルフ用パタークラブである。
請求項９の考案は、前記楕円形の短径が４１．４〜４３．４ｍｍである請求項７に記載のゴルフ用パタークラブである。
請求項１０の考案は、前記ゴルフボール保持孔の内側面は、粗面化されている請求項８に記載のゴルフ用パタークラブである。
請求項１１の考案は、前記ゴルフボール保持孔の内側面は、粗面化されている請求項９に記載のゴルフ用パタークラブである。
請求項１２の考案は、前記パターヘッドの外形形状は、前記直線部に略垂直な仮想線を対象軸として、線対称の形状をなしている請求項１０に記載のゴルフ用パタークラブである。
請求項１３の考案は、前記パターヘッドの外形形状は、前記直線部に略垂直な仮想線を対象軸として、線対称の形状をなしている請求項１１に記載のゴルフ用パタークラブである。
【考案の効果】
【０００７】
本考案のゴルフ用パタークラブによれば、パターヘッドには、上下に貫通する貫通部からなるゴルフボール保持孔が形成されている。よって、プレイヤーは、ゴルフ用パタークラブのグリップを持ち、腰をかがめることなく立った状態で、パターヘッドのゴルフボール保持孔にゴルフボールを保持して、カップ内、地上、又は池内のゴルフボールを拾い上げることができる。しかも、拾い上げる際に、ゴルフ用パタークラブを上下に持ち替える必要はないから、拾い上げ作業が効率的にできる。
また、ゴルフボール保持孔が略円形である場合には、ゴルフボール保持孔が、ゴルフボールの外周全体を包み込むように確実に保持することができる。
また、ゴルフボール保持孔が楕円形である場合には、ゴルフボール保持孔が、ゴルフボールを挟み込むようにして確実に保持することができる。
また、パターヘッドに、そのフェイス面側から後方に向かうにつれて、パターヘッドの厚みが薄くなっているテーパー部を有する場合には、テーパー部にてゴルフボールを掬い上げて、ゴルフボール保持孔の上側にゴルフボールを保持することができる。
【０００８】
また、パターヘッドの外形形状が、平面視で一つの直線部と３つの円弧部とを繋いだ形状をなし、直線部は、パターヘッドのフェイス面に相当する場合には、以下の作用効果を奏する。すなわち、プレイヤーは、３つの円弧部のうち中程に位置する円弧部を目印として見ることで、パターヘッドの動きを視認することができ、練習時やラウンド時においてパッティングのスイング調整をすることができる。
また、ゴルフボール保持孔は、略円形であり、略円形の直径が４１．４〜４３．４ｍｍである場合には、ゴルフボール保持孔に、ゴルフボールが嵌って保持されやすくなるから、拾い上げ作業がさらに効率的にできる。
また、ゴルフボール保持孔は、楕円形であり、楕円形の短径が４１．４〜４３．４ｍｍである場合には、ゴルフボール保持孔に、ゴルフボールが嵌って保持されやすくなるから、拾い上げ作業がさらに効率的にできる。
また、ゴルフボール保持孔の内側面が粗面化されている場合には、摩擦により、ゴルフボール保持孔に、ゴルフボールが嵌って保持されやすくなるから、拾い上げ作業がさらに効率的にできる。
また、パターヘッドの外形形状が、直線部に略垂直な仮想線を対象軸として、線対称の形状をなしている場合には、パターヘッドの重量バランスがよく、パッティングし易くなる。
【考案を実施するための最良の形態】
【０００９】
本考案の一実施形態を図１ないし図９を参照しつつ説明する。図１は本実施形態のゴルフ用パタークラブ１の一実施形態を示す斜視図であり、図２はパターヘッド３の平面図である。図３はパターヘッド３の底面図である。図４は、パターヘッド３の正面図であり、図５はパターヘッド３の背面図であり、図６はパターヘッド３の側面図である。また、図７は、図４におけるＡ−Ａ断面の説明図であり、図８及び図９は、ゴルフ用パタークラブ１の使用状態を示す説明図である。
本実施形態のゴルフ用パタークラブ１は、図１に示すように、パターヘッド３と、先端部がパターヘッド３に固定されたシャフト５と、シャフト５の後端部に固定されたグリップ７と、を備える。
パターヘッド３には、上下に貫通する貫通部からなるゴルフボール保持孔９が形成されている。このゴルフボール保持孔９の形成方法は特に限定されず、例えば、鋳造の際に形成してもよいし、切削することにより形成してもよい。
【００１０】
パターヘッド３の材質は、特に限定されないが、例えばアルミニウム、アルミナ、カーボン、セラミック、ステンレス鋼、真鍮、軟鉄、鉄、木材などが使用される。特に、ステンレス、鉄、アルミニウムの原材料から鋳造により得られるものが好ましい。
シャフト５の材質は、特に限定されないが、例えばアルミニウム、アルミナ、カーボン、セラミック、ステンレス鋼、真鍮、軟鉄、鉄、木材などが使用される。
グリップ７は、特に限定されないが、例えば皮、ゴム等で被覆されていてもよい。
パターヘッド３は、その前面にフェイス面（打球面）１１（図５参照）が設けられている。また、パターヘッド３上面の左側端にはシャフト５を立設するためのシャフト立設穴（図示せず）が穿設されている。シャフト５はその先端がシャフト立設穴に挿入されて固定されている。固定方法は、特に限定されない。例えば、シャフト５とパターヘッド３とを接着剤で固定してもよい。
【００１１】
パターヘッド３の外形形状は、本考案では特に限定されない。例えば、円形、楕円形、矩形、５角形、６角形、７角形等の多角形であってもよい。本実施形態では、パターヘッド３の外形形状は、図３に示すように、平面視で一つの直線部１３と３つの円弧部、すなわち、第１円弧部１５、第２円弧部１７、第３円弧部１９とを繋いだ形状をなしており、そして、直線部１３は、パターヘッド３のフェイス面１１に相当している。また、本実施形態におけるパターヘッド３の外形形状は、直線部１３に略垂直な仮想線２１を対象軸として、線対称の形状をなしている。
パターヘッド３には、上述のように、上下に貫通する貫通部からなるゴルフボール保持孔９が設けられている。このゴルフボール保持孔９の形状は本考案では、特に限定されない。例えば、円形、楕円形、矩形、５角形、６角形、７角形等の多角形であってもよい。本実施形態では、平面視略円形となっている。また、略円形の直径Ｌは特に限定されないが、４１．４〜４３．４ｍｍが好ましく、更に４１．９〜４２．９ｍｍであること好ましい。４１．４〜４３．４ｍｍの範囲内では、ゴルフボール保持孔９によって、ゴルフボール２５を掴みやすくなるからである。
【００１２】
本実施形態では、図６に示すように、パターヘッド３には、そのフェイス面１１側から後方に向かうにつれて、パターヘッド３の厚みが薄くなっているテーパー部２３を有している。
また、本実施形態では、ゴルフボール保持孔９の内側面９Ａが粗面化されている（図７参照）。粗面化の程度は特に限定されない。なお、本考案では、ゴルフボール保持孔９の内側面９Ａは粗面化されていなくてもよい。
【００１３】
さて、ここで、本実施形態のゴルフ用パタークラブ１の作用効果について説明する。
本実施形態のゴルフ用パタークラブ１によれば、パターヘッド３には、上下に貫通する貫通部からなるゴルフボール保持孔９が形成されている。プレイヤーは、ゴルフ用パタークラブ１のグリップ７を持ち、図８（Ａ）に示されるように、パターヘッド３をカップ２７に入れて、ゴルフボール２５を上から押さえつけるようにする。すると、図８（Ｂ）に示されるように、ゴルフボール２５はゴルフボール保持孔９に保持されるから、プレイヤーは、腰をかがめることなく立った状態で、カップ２７内のゴルフボール２５を拾い上げることができる。しかも、拾い上げる際に、ゴルフ用パタークラブ１を上下に持ち替える必要はないから、拾い上げ作業が効率的にできる。
また、本実施形態のゴルフ用パタークラブ１のゴルフボール保持孔９が略円形であるので、ゴルフボール保持孔９が、ゴルフボール２５の外周全体を包み込むように確実に保持することができる。
【００１４】
また、本実施形態のゴルフ用パタークラブ１のパターヘッド３には、そのフェイス面１１側から後方に向かうにつれて、パターヘッド３の厚みが薄くなっているテーパー部２３を有している。よって、図９（Ａ）（Ｂ）に示すように、テーパー部２３にてゴルフボール２５を掬い上げて、ゴルフボール保持孔９の上側にゴルフボール２５を保持しても、ゴルフボール２５を拾い上げることができる。
また、本実施形態のゴルフ用パタークラブ１のパターヘッド３の外形形状が、平面視で一つの直線部１３と３つの円弧部、すなわち、第１円弧部１５、第２円弧部１７、第３円弧部１９とを繋いだ形状をなし、直線部１３は、パターヘッド３のフェイス面１１に相当しているから、以下の作用効果を奏する。
すなわち、プレイヤーは、３つの円弧部のうち中程に位置する第２円弧部１７を目印として見ることで、パターヘッド３の動きを視認することができ、練習時やラウンド時においてパッティングのスイング調整をすることができ、プレイヤーの技術向上に役立てることができる。また、パターヘッド３の外形形状が本実施形態のように、平面視で一つの直線部１３と３つの円弧部とを繋いだ形状をなしていると、その形状が一般のゴルフ用パタークラブに比べて特異的であるため、目立ちやすく、他のゴルフ用パタークラブと容易に識別できる。
また、本実施形態のゴルフ用パタークラブ１のパターヘッド３の外形形状が、平面視で一つの直線部１３と３つの円弧部とを繋いだ形状をなしており、３つの円弧部があるために、カップ２７内で引っかかりにくくなる。すなわち、例えば、５角形、６角形、７角形等の多角形の場合には、角部がカップ２７内で引っかかりやすく、扱いにくい。一方、本実施形態のように、３つの円弧部があるパターヘッド３では、カップ２７内で引っかかりにくく、扱いやすくなる。
【００１５】
また、本実施形態のゴルフ用パタークラブ１では、ゴルフボール保持孔９は、略円形であり、略円形の直径が４１．４〜４３．４ｍｍとされている。よって、ゴルフボール保持孔９に、ゴルフボール２５が嵌って保持されやすくなるから、拾い上げ作業がさらに効率的にできる。
また、本実施形態のゴルフ用パタークラブ１では、ゴルフボール保持孔９の内側面９Ａが粗面化されているから、摩擦により、ゴルフボール保持孔９に、ゴルフボール２５が嵌って保持されやすくなり、拾い上げ作業がさらに効率的にできる。
また、パターヘッド３の外形形状が、直線部に略垂直な仮想線２１を対象軸として、線対称の形状をなしているので、パターヘッド３の重量バランスがよい。従って、パッティングし易くなる。
【００１６】
本考案の他の実施形態のゴルフ用パタークラブ１を、図１０を参照して説明する。尚、上記実施形態と同一の部分には、同一の符号を付し、構造、作用及び効果の説明は省略する。
他の実施形態のゴルフ用パタークラブ１では、ゴルフボール保持孔９は、楕円形とされており、図１０に示されるように、ゴルフボール２５を挟み込むようにして保持している。楕円形の短径Ｌは特に限定されないが、４１．４〜４３．４ｍｍが好ましく、更に４１．９〜４２．９ｍｍであること好ましい。４１．４〜４３．４ｍｍの範囲内では、ゴルフボール保持孔９によって、ゴルフボール２５を特に掴みやすくなるからである。
【００１７】
本考案は上記記述及び図面によって説明した実施形態に限定されるものではなく、本考案の要旨を逸脱しない範囲内で種々変更して実施することができる。
また、上記説明では、カップ２７内のゴルフボール２５を、腰をかがめることなく立った状態で拾い上げる場合を説明したが、カップ２７内のゴルフボール２５に限らず、グリーンやラフ等の地上や、池内のゴルフボール２５を拾い上げる際に使用することができることは勿論である。
また、パターヘッド３の大きさについては特に限定されないが、カップ２７内のゴルフボール２５を拾い上げる用途に使用する場合には、カップ２７に挿入することができる大きさとされる。
【図面の簡単な説明】
【００１８】
【図１】本考案のゴルフ用パタークラブの一実施形態を示す斜視図である。
【図２】パターヘッドの平面図である。
【図３】パターヘッドの底面図である。
【図４】パターヘッドの正面図である。
【図５】パターヘッドの背面図である。
【図６】パターヘッドの側面図である。
【図７】図４におけるＡ−Ａ断面の説明図である。
【図８】ゴルフ用パタークラブの使用状態を示す説明図である。
【図９】ゴルフ用パタークラブの使用状態を示す説明図である。
【図１０】本考案の他の実施形態のゴルフ用パタークラブのパターヘッドの底面図である。
【符号の説明】
【００１９】
１…ゴルフ用パタークラブ
３…パターヘッド
５…シャフト
７…グリップ
９…ゴルフボール保持孔
９Ａ…内側面
１１…フェイス面
１３…直線部
１５…第１円弧部
１７…第２円弧部
１９…第３円弧部
２１…仮想線
２３…テーパー部
２５…ゴルフボール
２７…カップ
【図１】
0003130004.tif 000003
【図２】
0003130004.tif 000004
【図３】
0003130004.tif 000005
【図４】
0003130004.tif 000006
【図５】
0003130004.tif 000007
【図６】
0003130004.tif 000008
【図７】
0003130004.tif 000009
【図８】
0003130004.tif 000010
【図９】
0003130004.tif 000011
【図１０】
0003130004.tif 000012